(57)【要約】      （修正有）【課題】筐体に収納し易いケーキトレイを提供する。【解決手段】筐体にホールケーキを収納する際にホールケーキを載置する板状のケーキトレイＴにおいて、四角形状の合成樹脂板１の四隅部２に隆起模様３を形成し、隆起模様３には、合成樹脂板１の中央に配置するホールケーキの側面と対向する縦壁４を設け、合成樹脂板１の外周縁５には、表側に向けて突出し、外縁６が合成樹脂板１の表面７より下方に位置する隆起枠８を設ける。また、合成樹脂板１には、隆起枠８の外縁６よりも更に一定量だけ裏側に向けて突出し、上から見て縦壁４の内側で同心円状をなす複数の凹部９を形成し、縦壁４の内側に載せたホールケーキは凹部９によって支えられ、隆起枠８の外縁６はトレイＴの床面との間に隙間が形成される。【選択図】図１
0003180756.tif 000002
【実用新案登録請求の範囲】
【請求項１】
筐体にホールケーキを収納する際に前記ホールケーキを載置する板状のケーキトレイにおいて、
四角形状の合成樹脂板の四隅部に隆起模様を形成し、
前記隆起模様には、前記合成樹脂板の中央に配置するホールケーキの側面と対向する縦壁を設け、
前記合成樹脂板の外周縁には、表側に向けて突出し、外縁が前記合成樹脂板の表面より下方に位置する隆起枠を設け、
前記合成樹脂板には、前記隆起枠の外縁よりも更に一定量だけ裏側に向けて突出し、上から見て前記縦壁の内側で同心円状をなす複数の凹部を形成し、
前記縦壁の内側に載せた前記ホールケーキは前記凹部によって支えられ、前記隆起枠の外縁は前記ケーキトレイの床面との間に隙間が形成され、
同心円状の前記複数の凹部において、最も外側に位置する最外凹部の外壁が前記ホールケーキを筐体に収納する際の収納補助部とされ、
前記ホールケーキが載置された前記ケーキトレイが、前記筐体の、前記筐体を載置する前記床面と交差する方向に位置する格納口に挿入され、前記筐体の内側を前記収納補助部が摺動して前記ケーキトレイが前記筐体の内部に格納され、
前記収納補助部となる前記最外凹部の外壁はＵ字状又は円弧状に形成されることを特徴とするケーキトレイ。
【請求項２】
前記凹部の底部が前記隆起枠の外縁よりも、０．５ｍｍ以上３．０ｍｍ以下突出している請求項１に記載のケーキトレイ。
【請求項３】
四角形状の前記ケーキトレイを上から見て同心円状に形成される前記凹部は、前記同心円の中心に向かうに連れて各円同士の間隔が長くなる請求項１又は２に記載のケーキトレイ。
【請求項４】
前記ケーキトレイが前記筐体の床面に対して２０度以下の角度で傾斜配置された状態では、前記隆起枠の外縁が前記筐体の床面と接することなく、前記最外凹部のみが前記筐体の床面と接触するように前記隆起枠と前記最外凹部の位置が設定される請求項１ないし３のいずれか１項に記載のケーキトレイ。
【考案の詳細な説明】
【技術分野】
【０００１】
本考案は、ホールケーキを載置する板状のケーキトレイに関する。
【背景技術】
【０００２】
筐体にホールケーキを収納する際にホールケーキを載置する板状のケーキトレイが特許文献１で開示されている。
【先行技術文献】
【特許文献】
【０００３】
【特許文献１】特公昭４７−１７１０８号公報
【考案の概要】
【考案が解決しようとする課題】
【０００４】
しかし、かかるケーキトレイの外縁底部は、他の底部と同じ同一平面状に位置するため、ケーキトレイを筐体の床面に対して傾斜させて収納する場合、ケーキトレイの外縁底部が床面に引っ掛かり、ケーキトレイを筐体に内部に挿入しにくかった。
【０００５】
本考案の課題は、筐体に収納し易いケーキトレイを提供することにある。
【課題を解決するための手段および考案の効果】
【０００６】
本考案のケーキトレイは、
筐体にホールケーキを収納する際にホールケーキを載置する板状のケーキトレイにおいて、
四角形状の合成樹脂板の四隅部に隆起模様を形成し、
隆起模様には、合成樹脂板の中央に配置するホールケーキの側面と対向する縦壁を設け、
合成樹脂板の外周縁には、表側に向けて突出し、外縁が合成樹脂板の表面より下方に位置する隆起枠を設け、
合成樹脂板には、隆起枠の外縁よりも更に一定量だけ裏側に向けて突出し、上から見て縦壁の内側で同心円状をなす複数の凹部を形成し、
縦壁の内側に載せたホールケーキは凹部によって支えられ、隆起枠の外縁はケーキトレイの床面との間に隙間が形成され、
同心円状の複数の凹部において、最も外側に位置する最外凹部の外壁がホールケーキを筐体に収納する際の収納補助部とされ、
ホールケーキが載置されたケーキトレイが、筐体の、筐体を載置する床面と交差する方向に位置する格納口に挿入され、筐体の内側を収納補助部が摺動してケーキトレイが筐体の内部に格納され、
収納補助部となる最外凹部の外壁はＵ字状又は円弧状に形成されることを特徴とする。
【０００７】
本考案によれば、ケーキトレイの外周縁に位置する隆起枠の内側で、その隆起枠よりも一定量だけトレイの裏面に向けて突出する同心円状の複数の凹部（トレイを上から見て凹部）が形成されるので、ケーキトレイを筐体の床面に対して傾斜させて収納する際、隆起枠が床面に引っ掛かるのを抑制し、収納した後は同心円状の凹部でケーキトレイ上のホールケーキを安定して載置できる。また、同心円状の複数の凹部における最外凹部の外壁が収納補助部となるため、最外凹部のみを床面に摺動させることでトレイを筐体に収納し易く、その際、最外凹部の外壁がＵ字状又は円弧状であるため、最外凹部と床面の抵抗が軽減される。
【図面の簡単な説明】
【０００８】
【図１】本考案のケーキトレイを示す斜視模式図。
【図２】図１のケーキトレイの平面模式図。
【図３】図１のケーキトレイの側面模式図及び側面模式拡大図。
【図４】図２のＡ−Ａ断面模式図。
【図５】図１のケーキトレイの底面模式図。
【図６】図１のケーキトレイを筐体に収納する流れを説明する説明図。
【図７】図６に対応するケーキトレイを筐体に収納する流れを説明する説明図。
【図８】図７の変形例を説明する説明図。
【図９】図１のケーキトレイを筐体に傾斜して収納する角度を説明する説明図。
【考案を実施するための形態】
【０００９】
図１〜図５は、本考案のケーキトレイの一例であるトレイＴを示しており、図１は、例えば、円柱状のホールケーキＷ（図６）を載置する板状のトレイＴを示す斜視模式図であり、図２はトレイＴの平面模式図である。トレイＴは、ホールケーキＷを筐体に収納する際にホールケーキＷを載置する板状のトレイである。
【００１０】
具体的には、図２に示すように、トレイＴは四角形状に形成された合成樹脂板１であり、合成樹脂板１の四隅部２に隆起模様３が形成される。図１に示すように、隆起模様３には合成樹脂板１の中央に配置するホールケーキＷの側面と対向する縦壁４が備わる。
【００１１】
図３は、トレイＴの側面模式図であり、図４は、図２トレイＴのＡ−Ａ断面模式図である。図３、図４に示すように、合成樹脂板１の外周縁５には、合成樹脂板１の表側に向けて突出し、かつ、外縁６が合成樹脂板１の表面７（ホールケーキＷが載置される面）より下方に位置する隆起枠８が備わる。
【００１２】
図４に示すように、合成樹脂板１には、隆起枠８の外縁６よりも更に一定量（例えば、１ｍｍ）だけ合成樹脂板１の表側から裏側に向けて突出する（表側から見れば凹む）凹部９が形成される。なお、ここでいう一定量（凹部９の底部１０の突出量）とは、凹部９の底部１０が隆起枠８の外縁６よりも、０．５ｍｍ以上３．０ｍｍ以下の範囲で突出していることを意味する。
【００１３】
図５はトレイＴの底面図であり、図５に示すように、凹部９は、縦壁４の内側で合成樹脂板１の中央部１ａを中心して同心円状に複数（例えば３つの同心円状の凹部９）形成される。図５に示すように、同心円状に形成される凹部９は、同心円の中心に向かうに連れて各円同士の間隔が長くなる。
【００１４】
図４に示すように、同心円状の複数の凹部９において、最も外側に位置する最外凹部９ａの外壁９ｂはＵ字状又は円弧状に形成され、他の凹部９の外壁９ｃもＵ字状又は円弧状に形成される。なお、最外凹部９ａ以外の凹部９の外壁９ｃは、外壁９ｃの底部１０が最外凹部９ａの底部１０と同一平面上に位置すれば、Ｕ字状又は円弧状以外に形成されてもよい。
【００１５】
なお、最外凹部９ａは、トレイＴが床面に対して２０度以下の角度で傾斜配置された状態では、隆起枠８の外縁６が床面と接することなく、最外凹部９ａのみが床面と接触するように隆起枠８と最外凹部９ａの位置が設定される。
【００１６】
次に、ホールケーキＷが載置されたトレイＴを収納用の箱体１１に収容する収容方法について、図６〜図８に基づき説明する。図６は、ホールケーキＷが載置されたトレイＴを箱体１１に収納する一例を示したものであり、図７は、図６における所定の場面を図２のＢ−Ｂ断面に対応させて示したものである。図６、図７に示すように箱体１１の収納口１２が床面１３と交差する方向に位置する。以下、トレイＴを箱体１１に収納する方向において、床面１３と平行な方向を基準方向とする。先ず、床面１３上のトレイＴ上にホールケーキＷを載置する（図６（Ａ））。図６（Ａ）に示すように、縦壁４の内側に円柱状のホールケーキＷを載置すると、ホールケーキＷは各凹部９によって支えられ、隆起枠８の外縁６は床面１３との間に隙間を形成する（図示せず）。
【００１７】
次に、トレイＴの基準方向側の隆起枠８が床面１３に近接するように傾斜させて、基準方向側に位置する収納口１２にトレイＴを挿入し、トレイＴが箱体１１の床面１５に対して所定の角度（例えば、２０度以下の角度）で傾斜した状態、具体的には、隆起枠８の外縁６が箱体１１の床面１５と接触せず、かつ、最外凹部９ａのみが箱体１１の床面１５と接触する状態（収納状態）（図６（Ｂ）、図７（工程１））にトレイＴを保持する。
【００１８】
そして、箱体１１の床面１５と接触している最外凹部９ａを収納補助部とし、収納状態を維持したまま収納補助部を箱体１１の床面１５に摺動させ、トレイＴを箱体１１の内部に挿入し（図６（Ｂ）〜（Ｄ）、図７（工程１〜３））、トレイＴが箱体１１の奥にまで達したことを確認して、収納状態（傾斜した状態）のトレイＴの傾斜角度を徐々に小さくしてトレイＴを箱体１１の床面１５に載置する。
【００１９】
最後に、箱体１１の収納口１２の周囲に形成された側壁片１４によって、収納口１２を閉ざすことで、トレイＴに載置されたホールケーキＷが箱体１１に収納される。
【００２０】
上記の収納方法では、トレイＴの基準方向側の隆起枠８が床面１３に近接するように傾斜させ（隆起枠８が床面１３に接触しないで）、収納口１３にトレイＴを挿入していたが、図８に示すようにトレイＴの基準方向側の隆起枠８が箱体１１の床面１５に接触するよう傾斜させ、接触した隆起枠８と床面１５を軸線として、床面１５に対するトレイＴの傾斜を次第に小さくして、トレイＴを収納状態にしたのちにトレイＴを箱体１１に収納してもよい。また、トレイＴを収納状態にした後、トレイＴと床面１５の傾斜を小さくするとともに、トレイＴを基準方向に挿入してトレイＴを箱体１１の内部に収納してもよい。
【００２１】
以上のようにトレイＴは、隆起枠８の内側で隆起枠８よりも一定量だけ合成樹脂板１の裏面に向けて突出する複数の凹部９が形成されることで、トレイＴを箱体１１の床面１５に対して傾斜させて収納する際に隆起枠８が床面１５に引っ掛かるのを抑制できる。
【００２２】
また、ホールケーキＷの荷重で撓み易い合成樹脂板１の中央を、同心円状に形成された複数の凹部９で支えるため、ホールケーキＷを安定して保持できる。
【００２３】
同心円状の複数の凹部９における最外凹部９ａの外壁９ｂが収納補助部となるため、最外凹部９ａのみを床面１５を摺動させることで、トレイＴを箱体１１に収納し易くなる。最外凹部９ａの外壁９ｂがＵ字状又は円弧状に形成されることで、最外凹部９ａと床面１５との抵抗が軽減され、トレイＴを箱体１１に収納し易くなる。
【００２４】
また、凹部９の底部１０が隆起枠８の外縁６（外縁６の底部１０）よりも、０．５ｍｍ以上３．０ｍｍ以下突出している。０．５ｍｍ未満では、トレイＴを傾斜させても隆起枠８の外縁６が床面に接触し易く、３．０ｍｍを超えるとトレイＴを傾斜させた場合にホールケーキＴの載置状態が不安定になるからである。より好ましくは、０．７５ｍｍ以上２．０ｍｍ以下である。
【００２５】
別の観点から見れば、図９に示すように、トレイＴが箱体１１の床面１５に対して２０度以下の角度で傾斜配置された状態では、隆起枠８の外縁６が箱体１１の床面１５と接することなく、最外凹部９ａのみが箱体１１の床面１５と接触するに隆起枠８と最外凹部９ａの位置が設定され、トレイＴを箱体１１に収納し易く、ホールケーキＷの載置状態を安定できる。
【００２６】
また、図２に示すように、同心円状に形成される凹部９は同心円の中心に向かうに連れて各円同士の間隔が長くなるので、合成樹脂板１を補強でき、トレイＴに荷重が加わってもホールケーキＷを安定して載置できる。
【００２７】
以上、本考案の実施の態様を説明したが、本考案はその具体的な記載に限定されることなく、例示した構成等を技術的に矛盾のない範囲で適宜組み合わせて実施することも可能であるし、またある要素、処理を周知の形態に置き換えて実施することもできる。
【符号の説明】
【００２８】
Ｔ  ケーキトレイ              Ｗ    ホールケーキ
１  合成樹脂板                ４    縦壁
６  外縁（隆起枠の外縁）      ８    隆起枠
９  凹部                      １１  箱体
【図１】
0003180756.tif 000003
【図２】
0003180756.tif 000004
【図３】
0003180756.tif 000005
【図４】
0003180756.tif 000006
【図５】
0003180756.tif 000007
【図６】
0003180756.tif 000008
【図７】
0003180756.tif 000009
【図８】
0003180756.tif 000010
【図９】
0003180756.tif 000011